(57)【要約】【課題】駐車車両の移動を妨げることなく、かつ充電用接続器未使用時により大きな駐車スペースを確保することのできる機械式駐車装置の提供。【解決手段】トレー５に、充電用プラグ接続部１１を備えた充電用接続器６を有し、駐車車両Ａの給電端子を充電用ケーブル１０を介して充電用プラグ接続部１２に接続し充電を行う機械式駐車装置において、充電用接続器６は、立ち上げたときに上側となる位置に充電用プラグ接続部１１が取り付けられる可倒式の支柱１３を備えると共に、充電用プラグ接続部１１の下方に位置する部分の支柱１３に、充電用ケーブル１０のコントロールボックス１４を保持する収納可能なボックス固定具１５、および充電用ケーブル１０を保持する収納可能なケーブル固定具１６の少なくとも一方を設け、充電時に、支柱１３を立ち上げ、ボックス固定具１５或いはケーブル固定具１６を固定状態とし、不要時に、ボックス固定具１５或いはケーブル固定具１６を収納状態とし、支柱１３を折りたたむようにした。【選択図】図２
2019173368.tif 000002
【特許請求の範囲】
【請求項１】
駐車車両の進入方向に配置されるトレーと、前記トレーに設けられ、充電用プラグ接続部を備えた充電用接続器とを有し、前記トレー上に搭載した駐車車両の給電端子を充電用ケーブルを介して前記充電用プラグ接続部に接続した状態で格納スペースへ移動して駐車しながらバッテリーの充電を行う機械式駐車装置において、
前記充電用接続器は、立ち上げたときに上側となる位置に前記充電用プラグ接続部が取り付けられる可倒式の支柱を備えると共に、前記充電用プラグ接続部の下方に位置する部分の前記支柱に、前記充電用ケーブルのコントロールボックスを保持する収納可能なボックス固定具、および前記充電用ケーブルを保持する収納可能なケーブル固定具の少なくとも一方を設け、充電時に、前記支柱を立ち上げ、前記ボックス固定具或いは前記ケーブル固定具を固定状態とし、不要時に、前記ボックス固定具或いは前記ケーブル固定具を収納状態とし、前記支柱を折りたたむことを特徴とする機械式駐車装置。
【請求項２】
前記ボックス固定具は、軸を介して前記支柱に回動可能に支持され、前記コントロールボックスが載せられるベースと、前記ベースの中央に設けられた開放部に前記充電用ケーブルを導くケーブル挿入部とを有することを特徴とした請求項１に記載の機械式駐車装置。
【請求項３】
前記ケーブル固定具は、略Ｕ字上の断面を有し、ヒンジを介して前記支柱に回動可能に支持されるＵ字金具からなることを特徴とした請求項１に記載の機械式駐車装置。
【請求項４】
前記ケーブル固定具は、前記支柱に取り付けられた面ファスナーであることを特徴とした請求項１に記載の機械式駐車装置。
【発明の詳細な説明】
【技術分野】
【０００１】
本発明は、駐車車両である電気自動車の駐車状態でバッテリーの充電を行うことが可能な機械式駐車装置に関する。
【背景技術】
【０００２】
機械式駐車装置にあっては、駐車車両である電気自動車を搭載したトレーを格納スペースに収納した駐車状態で、電気自動車のバッテリーの充電を行うものが知られており、このような機械式駐車装置では、電気自動車を搭載するトレーに充電用プラグ接続部を構成し、一方、このトレーを移動させて格納することになる格納スペースには電源側の固定接触部を配置しており、トレー上に電気自動車を搭載した状態で、運転手等の利用者がバッテリーに接続されている給電プラグを充電用プラグ接続部に接続する作業を行い、その後、格納スペースへと移動されてきたトレーの停止位置で、前述した充電用プラグ接続部と電源側の固定接触部間を電気的に接続して充電回路を形成するように構成している。
【０００３】
そして、従来、電気自動車のバッテリーに接続した給電プラグをトレー上に構成した充電用プラグ接続部に接続する給電作業を行いやすくするものとして、「トレーに立設した支柱の上部に、斜め下方を向いて差し込み口を有した充電用プラグ接続部を取り付け、充電用プラグ接続部よりも下方に位置する部分の支柱に接続ケーブルの触れ止めを行う保持手段を設けた」もの、そして、「保持手段としては、充電用プラグ接続部の下方に位置する部分の支柱には、接続ケーブルの充電回路制御ボックスを収納して保持する充電回路制御ボックス保持部、または充電回路制御ボックスよりも下方に位置する部分の接続ケーブルを保持する接続ケーブル保持部を取り付けて構成した」ものが開示されている（特許文献１）。
【先行技術文献】
【特許文献】
【０００４】
【特許文献１】特開２０１４−１７７７５６号公報
【発明の概要】
【発明が解決しようとする課題】
【０００５】
しかしながら、前述した特許文献１に記載されるものでは、充電用プラグ接続部が設けられる支柱は、トレーに立設した状態で固定されていることから、駐車車両の移動時に衝突する虞や、駐車車両の入出庫の方向が限られてしまうという課題があった。すなわち、機械式駐車場によっては、入庫時に、駐車車両を前進させてトレー上に乗り込み、出庫時に、駐車車両を前進させてトレー上から退くものがあり、このような構成のものに従来のものを適用することが難しかった。また、支柱が立設された充電用トレーにあっては、特に前後方向における駐車スペースに限りが生じることから、充電用接続器を使用しない場合であっても、駐車できる車両が限定されてしまうという課題もあった。
【０００６】
本発明の目的は、駐車車両の移動を妨げることなく、かつ充電用接続器未使用時により大きな駐車スペースを確保することのできる機械式駐車装置を提供することにある。
【課題を解決するための手段】
【０００７】
前記課題を解決し、本発明の目的を達成するために、駐車車両の進入方向に配置されるトレーと、前記トレーに設けられ、充電用プラグ接続部を備えた充電用接続器とを有し、前記トレー上に搭載した駐車車両の給電端子を充電用ケーブルを介して前記充電用プラグ接続部に接続した状態で格納スペースへ移動して駐車しながらバッテリーの充電を行う機械式駐車装置において、 前記充電用接続器は、立ち上げたときに上側となる位置に前記充電用プラグ接続部が取り付けられる可倒式の支柱を備えると共に、前記充電用プラグ接続部の下方に位置する部分の前記支柱に、前記充電用ケーブルのコントロールボックスを保持する収納可能なボックス固定具、および前記充電用ケーブルを保持する収納可能なケーブル固定具の少なくとも一方を設け、充電時に、前記支柱を立ち上げ、前記ボックス固定具或いは前記ケーブル固定具を固定状態とし、不要時に、前記ボックス固定具或いは前記ケーブル固定具を収納状態とし、前記支柱を折りたたむことを特徴とする。
【発明の効果】
【０００８】
本発明の機械式駐車装置によれば、駐車車両の移動を妨げることなく、かつ充電用接続器未使用時により大きな駐車スペースを確保することができる。なお、前述した以外の課題、構成および効果は、以下の実施形態の説明により明らかにされる。
【図面の簡単な説明】
【０００９】
【図１】本発明の第１の実施形態による機械式駐車装置を示す平面図である。
【図２】駐車中にバッテリーの充電を行う電気自動車を搭載した状態を示すトレーの側面図である。
【図３】図２に示したトレーの正面図である。
【図４】図３に示した支柱を立ち上げ状態および折りたたんだ状態とする動きを説明する正面図である。
【図５】ボックス固定具の要部を示し、ボックス固定具が固定位置とされた状態を示す正面図である。
【図６】図５に示したボックス固定部の側面図である。
【図７】図５に示したボックス固定部の上面図である。
【図８】図５に示したボックス固定具が収納位置とされた状態を示す正面図である。
【図９】図５に示したボックス固定部を固定位置および収納位置とする動きを示す側面図である。
【図１０】図８に示したボックス固定部の上面図である。
【図１１】ケーブル固定具の要部を示し、ケーブル固定具が固定位置とされた状態を示す上面図である。
【図１２】図１１に示したケーブル固定部の正面図である。
【図１３】図１１に示したケーブル固定部を固定位置および収納状態とする動きを示す上面図である。
【図１４】本発明の第２の実施形態における機械式駐車装置のケーブル固定具の上面図である。
【図１５】図１４に示したケーブル固定具の正面図である。
【発明を実施するための形態】
【００１０】
以下、本発明の実施の形態を図面に基づいて説明する。なお、各図において同一または類似の構成には同じ符号を付して繰り返しの説明は省略する。
【００１１】
図１は、本発明の第１の実施形態による機械式駐車装置を示す平面図である。
【００１２】
一般に、機械式駐車装置を構成する建屋１には、駐車車両の出入り口を有する階床と、駐車車両を格納するスペースを有する格納階床２とを形成しており、両階床間は昇降装置３によって連絡されている。格納階床２には複数の格納スペース４Ａ〜４Ｎが形成され、ここではそのうちの格納スペース４Ａ，４Ｂが電気自動車の充電用に使用するものとする。
【００１３】
出入り口から進入した駐車車両は、トレー上に搭載されて昇降装置３を利用して格納階床２へと移動される。全てのトレーは電気自動車対応の同一構成としても良いし、電気自動車専用のものを格納スペース４Ａ，４Ｂの数に応じて準備しても良い。駐車車両が電気自動車で駐車中にバッテリーの充電を行う場合は、その電気自動車を搭載した専用のトレーを格納スペース４Ａ，４Ｂへと移動する。一方、駐車車両がバッテリーの充電を行わない場合は、その駐車車両を搭載したトレーを他の格納スペース４Ｃ〜４Ｎへと移動する。いずれの場合も、図示を省略した制御装置や駆動装置によって、格納階床２において既に駐車車両を搭載した格納中のトレーが存在する場合、空きスペースを利用しながら順次各トレーを移動し、新たに搬入されたトレーが所定の位置に効率的に移動するように構成されている。
【００１４】
図２は、駐車中にバッテリーの充電を行う電気自動車を搭載した状態を示すトレーの側面図、図３は、図２に示したトレーの正面図、図４は、図３に示した支柱を立ち上げ状態および折りたたんだ状態とする動きを説明する正面図である。
【００１５】
第１の実施形態による機械式駐車装置は、トレー５と、充電用接続器６とを備えている。
【００１６】
トレー５は、平板状の長方形に形成され、電気自動車である駐車車両Ａは、図２の矢印で示す方向で入庫時にトレー５上に前進して乗り込むとともに、出庫時にトレー５上から前進して退く。また、トレー５の下部には、トレー５を長手方向に移動するときに使用するローラまたは車輪７と、トレー５を長手方向に対して直交する方向に移動するときに使用するローラまたは車輪８と、トレー５の下部に構成され、格納スペース４Ａ，４Ｂ側に構成された格納部固定接触子と接触可能なトレー側接触子９とが配置されている。さらに、トレー５には、後述する支柱１３を折りたたんだときに支柱１３を収納可能な図示しない収納部が設けられている。この収納部は、トレー５の上面より下方に形成され、支柱１３を折りたたんだときに、支柱１３がトレー５の上面から出張らないようになっている。
【００１７】
充電用接続器６は、駐車車両Ａの進入方向に対して前側側方に配置されており、例えば駐車車両Ａに付属される充電用ケーブル１０の一端に設けられる接続器側プラグ１１が接続可能な充電用プラグ接続部１２と、起立させたときに上側となる位置に充電用プラグ接続部１２が設けられる可倒式の支柱１３と、充電用プラグ接続部１２の下方に位置する部分の支柱１３に配置され、充電用ケーブル１０のコントロールボックス１４を保持する収納可能なボックス固定具１５と、ボックス固定具１５の下方に位置する部分の支柱１３に配置され、充電用ケーブル１０を保持する収納可能なケーブル固定具１６とを有している。
【００１８】
支柱１３は、軸２１を介してトレー５に回動可能に軸支されると共に、収納部の上面を覆うカバー部１３Ａを有している。カバー部１３Ａは、支柱１３の長手方向に沿うように支柱１３の一方の側面に取り付けられており、支柱１３を折りたたんだ状態で収納部の上面を覆い、トレー５の上面と略同一面となりトレー５をフラット化する。なお、本実施形態にあっては、カバー部１３Ａも強度部材として支柱１３の一部を構成している。
【００１９】
ここで、ボックス固定具１５の詳細について説明する。図５は、ボックス固定具の要部を示し、ボックス固定具が固定位置とされた状態を示す正面図、図６は、図５に示したボックス固定部の側面図、図７は、図５に示したボックス固定部の上面図、図８は、図５に示したボックス固定具が収納位置とされた状態を示す正面図、図９は、図５に示したボックス固定部を固定位置および収納位置とする動きを示す側面図、図１０は、図８に示したボックス固定部の上面図である。
【００２０】
ボックス固定具１５は、軸３１を介して支柱１３に回動可能に支持され、コントロールボックス１４が載せられるベース３２と、ベース３２の中央に設けられた開放部３３に充電用ケーブル１０を導くケーブル挿入部３４と、ベース３２の側端に設けられ、コントロールボックス１４の載置時に、コントロールボックス１４の側面に沿って延在するサポート３５とを有している。
【００２１】
ベース３２は、例えば、一端に軸３１が取り付けられ、載置面がフラットに形成された第１腕部３２Ａと、第１腕部３２Ａから直交するように延在され、第１腕部３２Ａと略同一の高さ位置となる載置面を構成する２本の第２腕部３２Ｂ，３２Ｃとからなっている。
【００２２】
サポート３５は、例えば、固定位置とした時に、ベース３２の第２腕部３２Ｂ，３２Ｃの端部から上方に延在するように設けられる第３腕部３５Ａ，３５Ｂからなっている。
【００２３】
このボックス固定具１５の位置や形状は種々考えられるが、軸３１を介して支柱１３に回動可能に支持され、固定位置および収納位置に変位可能となっていると共に、コントロールボックス１４を載置したとき、このコントロールボックス１４をベース３２で受け止めて保持し、一方、コントロールボックス１４の下方に接続されている充電用ケーブル１０は開放部３３からさらに下方に垂下することができるように構成されている。
【００２４】
ここで、ケーブル固定具１６の詳細について説明する。図１１は、ケーブル固定具の要部を示し、ケーブル固定具が固定位置とされた状態を示す上面図、図１２は、図１１に示したケーブル固定部の正面図、図１３は、図１１に示したケーブル固定部を固定位置および収納状態とする動きを示す上面図である。
【００２５】
ケーブル固定具１６は、Ｕ字上の断面を有し、ヒンジ４１を介して支柱１３に回動可能に支持されるＵ字金具４２からなっている。ヒンジ４１は、軸に介装され、一方の図示しないヒンジ板が支柱側、他方のヒンジ板がＵ字金具４２側に取り付けられており、図１１ないし図１３に示すように、Ｕ字金具４２を支柱１３の正面と対向させた時、支柱１３の正面およびＵ字金具４２のＵ字部で囲われる空隙に充電用ケーブル１０が配置され固定状態となると共に、図１３に示すように、Ｕ字金具４２を支柱１３の側面と対向させた時、収納位置となる。
【００２６】
また詳細な図示は省略しているが、電気自動車の給電端子に他端を接続する充電用ケーブル１０と、建屋１における電源との間には、少なくとも二箇所の電気的な接続部を構成している。その一つは、充電用ケーブル１０と充電用プラグ接続部１２間の電気的な接続部であり、トレー５上に駐車車両を搭載した際に運転手等の作業者によって接続作業が行われるものである。他の一つは、トレー５の下部に構成したトレー側接触子９と、トレー５を移動して格納スペース４Ａ，４Ｂへ格納したときトレー側接触子に対応する位置の格納スペース４Ａ，４Ｂ側に構成された格納部固定接触子とによって形成した電気的な接触部である。
【００２７】
充電用プラグ接続部１２を使用した前者の電気的な接続部を完成させた後、トレー５を移動して格納スペース４Ａ，４Ｂへ格納すると、トレー５の位置によって機械的にトレー側接触子９と格納部固定接触子との接触が完成し、電気自動車のバッテリーが建屋１の電源に接続されたことになる。
【００２８】
次に、電気自動車の駐車車両Ａを駐車しながらそのバッテリーの充電を行う場合について説明する。
【００２９】
一般に知られるように、この種の機械式駐車装置は、図１に示した各格納スペース４Ａ〜４Ｎやリフト装置の床面側に駆動装置やガイドレールがそれぞれ配置されており、トレー５が位置している格納スペースの駆動装置を駆動すると、ガイドレール上を転動するローラまたは車輪７，８によってトレー５を隣接する任意の格納スペース側へ移動することができる構成を有している。
【００３０】
係員または駐車車両Ａの運転手等は操作ボタンなどを操作して、駐車しながらバッテリーの充電を行う利用であることを選択する。この選択によって、電気自動車用のトレー５を呼び出すことになる。トレー５を呼び出した時点で、充電用接続器６の支柱１３は、図４に示すように、折りたたまれている。この状態で運転手は駐車車両Ａを前進させてトレー５上に搭載する。このとき、運転手が駐車車両Ａをトレー５上で前進させすぎてしまったとしても、支柱１３は折りたたまれていることから特に問題はなく、若干駐車車両Ａを後退させることで適切な位置に駐車することができる。
【００３１】
次いで、係員または駐車車両Ａの運転手等の作業者は、図２ないし図４に示すように、駐車車両Ａの前方に位置する充電用接続器６の支柱１３を立ち上げ、充電可能状態とする。この後、電気自動車の車種によっても異なるが、駐車車両Ａに搭載される充電用ケーブル１０を取り出し、充電用ケーブル１０の一端に設けられる接続器側プラグ１１を充電用プラグ接続部１２に接続するとともに、接続ケーブル１０の他端に設けられる車側プラグ１７を駐車車両Ａの給電端子に接続する。
【００３２】
この接続作業中に、作業者は、図５ないし図７に示すように先ず、コントロールボックス１４の下方に位置する充電用接続ケーブル１０をケーブル挿入部３４から通しながら、コントロールボックス１４をボックス固定具１５のベース３２に載置する。ベース３２に載置されたコントロールボックス１４は、第１腕部３２Ａおよび第２腕部３２Ｂ，３２Ｃで受けられ保持されると共に、コントロールボックス１４の側面に沿って延在するサポート３５、すなわち第３腕部３５Ａ，３５Ｂで横ずれが規制される。
【００３３】
その後、作業者は、図１１および図１２に示すように、コントロールボックス１４の下方に接続されている充電用ケーブル１０を、支柱１３に添わせ、この状態でケーブル固定具１６のＵ字金具４２を回動して支柱１３の正面と対向させ、支柱１３の正面およびＵ字金具４２のＵ字部で囲われる空隙に充電用ケーブル１０を配置して固定状態とする。
【００３４】
このように支柱１３を立ち上げた状態で上側となる比較的高い位置に充電用プラグ接続部１２が位置する構成としたため、運転手が電気自動車のバッテリーを充電するために充電用ケーブル１０を接続する場合、極端にかがみ込んだり座り込んだりした姿勢でなく、楽な姿勢で行えるようになる。
【００３５】
また充電用プラグ接続部１２をより高い位置に構成すると、その分だけ接続器側プラグ１１よりも下方に位置する部分の充電用ケーブル１０がトレー５の移動時の振動で触れることが考えられるが、ボックス固定具１５およびケーブル固定具１６によって充電用ケーブル１０の途中を保持しているため、トレー５の移動時の振動で大きく触れたり、トレー５の外周部から外側に飛び出ることはない。
【００３６】
充電用ケーブル１０の接続を完了した後、操作部からトレー５を所定位置に格納するための操作を行う。すると、機械式駐車装置が作動して、このトレー５を図１に示した特定の格納スペース４Ａ，４Ｂへと移動させる。そして、トレー５が図１に示した格納スペース４Ａ，４Ｂの所定の停止位置まで移動すると、トレー側接触子９が対を成す固定側接触子に接触子に接触する。このトレー側接触子９と固定側接触子との接触部は、格納スペース４Ａ，４Ｂへと移動されてくる前に既に完成されていた充電用プラグ接続部１２と接続器側プラグ１１との接触部に対して直列に接続されて、建屋１の電源に接続されたことになり充電回路が形成される。従って、格納スペース４Ａ，４Ｂにトレー５が格納されると、電気自動車は駐車されながらバッテリーの充電状態となる。
【００３７】
出庫時、係員または駐車車両Ａの運転手等は操作ボタンなどを操作して、電気自動車専用のトレー５を呼び出す。トレー５を呼び出した後、係員または駐車車両Ａの運転手等は、充電用ケーブル１０の一端に設けられる接続器側プラグ１１を充電用プラグ接続部１２から取り外すとともに、充電用ケーブル１０の他端に設けられる車側プラグ１７を駐車車両Ａの給電端子から取り外し、充電用ケーブル１０を収納する。
【００３８】
この充電用ケーブル１０の取り外し作業中に、作業者は、図５ないし図７に示すように固定状態にあるボックス固定具１５を軸３１を介して回動し、図８ないし図１０に示すように収納状態とする。このようにボックス固定具１５を収納状態とすると、ベース３２およびサポート３５が支柱１３に沿った状態となる。また、図１１および図１２に示すように固定状態にあるケーブル固定具１６をヒンジ４１を介して回動し、図１３に示すように収納状態とする。このようにケーブル固定具１６を収納状態とすると、Ｕ字金具４２が支柱１３の側面と対向した位置となる。この状態で作業者は、図４に示すように、立ち上がっている充電用接続器６の支柱１３を折りたたむ。
【００３９】
このようにして支柱１３を折りたたむと、支柱１３の一方の側面に取り付けられたカバー部１３Ａにより収納部の上面が覆われ、トレー５上はフラットとなる。この状態で運転手は駐車車両Ａを前進させてトレー５上から退いて出庫する。
【００４０】
一方、バッテリーの充電を行う電気自動車の駐車車両が不在で、電気自動車用のトレー５を一般的な駐車車両に割り当てたい状況も想定される。このような場合、充電用接続器６の支柱１３を折りたたんでおく。これによって、トレー５における前後方向の駐車スペースをより大きく取ることができ、従って、より大きな車両を駐車可能とすることができる。
【００４１】
以上説明したように本発明の機械式駐車装置によれば、充電用接続器６は、立ち上げたときに上側となる位置に充電用プラグ接続部１２が取り付けられる可倒式の支柱１３を備えると共に、充電用プラグ接続部１２の下方に位置する部分の支柱１３に、充電用ケーブル１０のコントロールボックス１４を保持する収納可能なボックス固定具１５、および充電用ケーブル１０を保持する収納可能なケーブル固定具１６を設け、充電時に、支柱１３を立ち上げ、ボックス固定具１５およびケーブル固定具１６を固定状態とし、不要時に、ボックス固定具１５およびケーブル固定具１６を収納状態とし、支柱１３を折りたたむことを特徴とする。
【００４２】
このような構成によれば、駐車車両Ａの移動時に支柱１３を折りたたむことで、駐車車両Ａの移動時に衝突する虞がないとともに、前進入庫及び前進出庫させるタイプの機械式駐車場装置に対応することができ、かつ充電用接続器６未使用時にトレー５により大きな駐車スペースを確保することができる。また、充電用プラグ接続部１２をより高い位置に構成すると、その分だけ接続器側プラグ１１よりも下方に位置する部分の充電用ケーブル１０がトレー５の移動時の振動で触れることが考えられるが、ボックス固定具１５およびケーブル固定具１６によって充電用ケーブル１０の途中を保持しているため、トレー５の移動時の振動で大きく触れたり、トレー５の外周部から外側に飛び出ることを防止し、充電用ケーブル１０の切断など生じない信頼性の高い機械式駐車装置とすることができる。さらに、ボックス固定具１５およびケーブル固定具１６は収納可能であることから、支柱１３を折りたたむ際に、ボックス固定具１５およびケーブル固定具１６がトレー５の収納部に干渉することを防ぐことができる。
【００４３】
ここで、本発明の第２の実施形態による機械式駐車装置ついて説明する。図１４は、本発明の第２の実施形態における機械式駐車装置のケーブル固定具の上面図、図１５は、図１４に示したケーブル固定具の正面図である。
【００４４】
第２の実施形態による機械式駐車装置は、図１４および図１５に示すように、前述した第１の実施形態と異なるケーブル固定具１６Ａを有している。
【００４５】
第２の実施形態におけるケーブル固定具１６Ａは、中間部が支柱１３に取り付けられる面ファスナー５１から構成されている。この面ファスナー５１は、一般に、マジックテープ（登録商標）やベルクロ（登録商標）として知られるものであり、その両面に加工が施してあり、一方の面が他方の面に着脱可能に結合する。
【００４６】
第２の実施形態にあっては、充電用ケーブル１０を充電用プラグ接続部１２に接続する際、作業者は、図１４および図１５に示すように、コントロールボックス１４の下方に接続されている充電用ケーブル１０を、支柱１３に添わせ、この状態で面ファスナー５１の一方の面を他方の面に結合させ固定状態とする。
【００４７】
一方、出庫時、作業者は、面ファスナー５１の一方の面と他方の面との結合を解除し、充電用ケーブル１０を取り外す。そして、例えば、面ファスナー５１の一方の面と他方の面とを結合させた状態で立ち上がっている充電用接続器６の支柱１３を折りたたむ。面ファスナー５１は薄い布状であることから、支柱１３に取り付けたまま、支柱１３を折りたたんでも、収納に支障をきたすことはない。または面ファスナー５１を支柱１３に取り外し可能に装着することもでき、その場合、充電用ケーブル１０の固定時に面ファスナー５１を支柱１３に取り付け、不要時には、面ファスナー５１を支柱１３から取り外す。
【００４８】
本発明の第２の実施形態の機械式駐車装置によれば、ケーブル固定具１６Ａは、支柱１３に取り付けられた面ファスナー５１であることを特徴とする。
【００４９】
このような構成によれば、前述したＵ字金具４２と比較し、簡易な構造でケーブル固定具１６Ａを構成することができ、コスト低減を図ることができる。
【００５０】
以上、本発明の機械式駐車装置の実施形態について、その作用効果も含めて説明した。しかしながら、本発明の機械式駐車装置は、前述した実施形態に限定されるものではなく、特許請求の範囲に記載した発明の要旨を逸脱しない範囲内で種々の変形実施が可能である。
【符号の説明】
【００５１】
５  トレー
６  充電用接続器
１０  充電用ケーブル
１１  接続器側プラグ
１２  充電用プラグ接続部
１３  支柱
１４  コントロールボックス
１５  ボックス固定具
１６，１６Ａ  ケーブル固定具
１７  車側プラグ
２１  軸
３１  軸
３２  ベース
３３  サポート
４１  ヒンジ
４２  Ｕ字金具
５１  面ファスナー
【図１】
2019173368.tif 000003
【図２】
2019173368.tif 000004
【図３】
2019173368.tif 000005
【図４】
2019173368.tif 000006
【図５】
2019173368.tif 000007
【図６】
2019173368.tif 000008
【図７】
2019173368.tif 000009
【図８】
2019173368.tif 000010
【図９】
2019173368.tif 000011
【図１０】
2019173368.tif 000012
【図１１】
2019173368.tif 000013
【図１２】
2019173368.tif 000014
【図１３】
2019173368.tif 000015
【図１４】
2019173368.tif 000016
【図１５】
2019173368.tif 000017